(57)【要約】【課題】ペットの嫌がることをせず、ペットが落ち着いた状態で女性や高齢者でもペットにマッサージ効果のあるブラッシング作業を行いながら体表や毛の生え際までを洗浄・殺菌・脱臭することができるペット用清掃具を提供する【解決手段】ブラシ本体１と負圧吸引器８と送風機７をそれぞれ可撓性ホース６でつなぎ、超音波加湿器９を発生する微細霧を負圧吸引器８が吸引できるように配置する。ついで、送風機７及び超音波加湿器９を運転すると超音波加湿器９から発生する微細霧は負圧吸引器８に吸引され送風機７からの風とともにブラシ本体１のブラシ面２に設けられる突起３から白煙状に噴出する。このような状態になったらペットの毛をブラッシングする。【選択図】図２
2008005817.tif 000002
【特許請求の範囲】
【発明の詳細な説明】
【技術分野】
【０００１】  この発明は、ブラッシングしながらペットの毛及び体表を洗浄・殺菌・脱臭することができるペット用清掃具に関するものである。
【背景技術】
【０００２】  従来、犬などのペットの洗浄は、飼い主の自宅で行われてきた。しかし、元来ペットは水に濡れることを嫌うため、シャワー等で大量の水をかけられることがわかった場合には暴れたり、濡れた身体を振って周囲を汚してしまうため大人一人では大変な作業であったため、最近ではペットショップでシャンプー等のサービスが提供されている。【０００３】  しかしながら、このペットショップでのサービスは高価であるため自宅でペットをきれいにできないかあるいは体力の劣る女性や高齢者でもペットをきれいにできないかという要望が多い。そこで、特開２００６−１５８２９９号公報や特開２００３−２７４７８１号公報など多数に示されるようにペットを容器に収容して容器に設けられたシャワーで洗浄し、ドライヤーの温風で乾燥させるものや特開２００６−５１００１号公報に開示される２層構造の手袋に水道ホースを接続し手のひら面の穴から水を噴出すようにしたハンドシャワーや特開２００６−４２７１０号公報に開示されるヘッドの先端に複数の中空ノズルを設け負圧手段により洗浄後のペットの体毛に付着した水分を吸い取り、その後、負圧手段を送風手段につなぎ換えペットの体毛を乾燥させる水分除去具が提案されている。
【特許文献１】  特開２００６−１５８２９９号公報
【特許文献２】  特開２００３−２７４７８１号公報
【特許文献３】  特開２００６−５１００１号公報
【特許文献４】  特開２００６−４２７１０号公報
【発明の開示】
【発明が解決しようとする課題】
【０００４】  しかし、特許文献１、特許文献２のものは容器に収容されたペットにシャワーで洗浄液あるいは水を吹き付けるもので、毛足の長いペットでは毛が液をはじいて体表まで十分洗浄することができないか、あるいはすすぎが十分できずに洗浄成分が体表に残り皮膚障害を残すおそれがあった。【０００５】  また、特許文献３に記載のものはシャンプー後のすすぎに用いるよう提案されたものであるが、濡れることを嫌がるペットはじっとしていないので十分すすぎが行われるかどうかは不安が残る。【０００６】  また、特許文献４に記載のものは、洗浄後のペットの体毛に付着した水分を吸引し、また送風機につなぎ変えて乾燥させるものではなはだ不便なものである。【０００７】  これら従来例に示されるものは、ペットに大量の水をかけるというペットの嫌がる行為は残したまま行われるものであるので、ペットが落ち着いた状態で作業することができず、また、シャワー等で水や洗浄液をかけても体を覆おう毛の表面だけが濡れるだけで体表や毛の生え際までをきれいにすることはできないものである。【０００８】  本発明はこのような問題点を解決するためになされたもので、本発明の目的とするところは、ペットの嫌がることをせず、ペットが落ち着いた状態でペットにマッサージ効果のあるブラッシング作業を行いながら体表や毛の生え際まできれいにすることができるペット用清掃具を提供するものである。
【課題を解決するための手段】
【０００９】  上記課題を解決するため、請求項１の記載のペット用清掃具は、ブラシ本体が中空構造からなり、ブラシ面に前記ブラシ本体の中空構造と連通するパイプ状の突起が複数立設され、ブラシ本体把持部にホースを接続する接続部を有するブラシと、一端が前記接続部に接続され他端に送風機が接続される可撓性ホースと、超音波加湿器と、この超音波加湿器から発生する微細霧を前記送風機の風圧により吸引する負圧吸引器を前記ホースに設けた構成からなるものである。【００１０】  また、請求項２に記載のペット用清掃具は、ブラシ本体が中空構造からなり、ブラシ面に前記ブラシ本体の中空構造と連通し先端に微細孔が設けられたパイプ状の突起が複数立設され、ブラシ本体把持部にホースを接続し圧力調整弁が設けられた接続部を有するブラシと、一端が前記接続部に接続され他端にポンプが接続される可撓性ホースと、機能水が貯水されポンプが接続される水槽とからなるものである。
【発明の効果】
【００１１】  （イ）本発明のペット用清掃具は、大量の水をペットにかけないのでペットが暴れることが無いので、力のない女性や高齢者でもペットをきれいにすることができる。
（ロ）本発明のペット用清掃具は、ペットをブラッシングしながらきれいにすることができるのでペットもリラックスできる。
（ハ）本発明のペット用清掃具は、超音波加湿器から発生するマイナスイオン豊富な微細霧がブラシの突起よりペットの体表及び毛に直接かかるので殺菌・脱臭を行うことができる。
（ニ）本発明のペット用清掃具は、超音波加湿器を停止して使用すると、風がブラシの突起よりペットの体表及び毛に直接かかるので効率よく乾燥させることができる。
（ホ）本発明のペット用清掃具は、機能水がブラシの突起の先端に設けられた微細孔から霧状に噴出されるので、ペットの体表や毛の生え際の汚れを効率よく落とすことができる。
【発明を実施するための最良の形態】
【００１２】  本発明の第一実施例を図１及び図２を用いて説明する。第一実施例は請求項１に対応し、ペットの体表、毛の生え際、毛の殺菌・脱臭及び体表の健全化を主たる目的としたものである。図１はブラシの断面図、図２は本実施例のペット用清掃具の使用状態を表した図である。【００１３】  図中１はブラシ本体で中空構造をなしており、ブラシ面２にはパイプ状の複数の突起３が設けられ、このパイプ状の突起３は中空構造の空洞と連通している。また、ブラシ本体１の把持部４には接続部５が設けられており、可撓性のホース６が接続できるようになっている。７は送風機で、送風機７に接続されたホース６を通して負圧吸引器８であるベンチュリーを経由し、さらにホース６を通じブラシ本体１に送風する。９は超音波加湿器で、この超音波加湿器９から発生した微細霧は送風機７の風圧により負圧吸引器８で生じた負圧により負圧吸引器８内に引き込まれ、送風機７の風と混合されてブラシ本体１に送られる。【００１４】  つぎに本発明のペット用清掃具の使用方法について説明する。【００１５】  まず、ブラシ本体１と負圧吸引器８と送風機７をそれぞれ可撓性ホース６でつなぎ、超音波加湿器９を発生する微細霧を負圧吸引器８が吸引できるように配置する。ついで、送風機７及び超音波加湿器９を運転すると超音波加湿器９から発生する微細霧は負圧吸引器８に吸引され送風機７からの風とともにブラシ本体１のブラシ面２に設けられる突起３から白煙状に噴出する。このような状態でペットＰの毛をブラッシングする。【００１６】  このようにすることで、ブラシ面２のパイプ状の突起３より微細霧が毛に邪魔されること無くペットＰの体表と毛の生え際に十分いきわたり体表や毛根部から排出される老廃物を浮き上がらせる。このとき超音波加湿器９から発生する微細霧は多量のマイナスイオンを含んでいるためにマイナスに荷電した微細霧が体表や毛根部から排出される老廃物を還元するために体表や毛を殺菌・脱臭することができ、マイナスイオンとブラッシングによるマッサージ効果により体表や毛を健全化することができる。【００１７】  ここで、短いサイクルで本発明のペット用清掃具でブラッシングしているときは乾燥作業に移ればよいが、ペットＰの汚れがひどい場合は、浮き上がった汚れをタオル等でふき取ってやればよい。【００１８】  次に乾燥作業は超音波加湿器９運転を停止して行う。このようにすることで送風機７からの乾燥した風がブラシ面２のパイプ状の突起３より毛に邪魔されること無くペットＰの体表と毛に十分いきわたり、体表と毛をむらなく乾燥させることができる。【００１９】  次に本発明の第二実施例について説明する。本実施例は請求項２に対応し、ペットの体表、毛の生え際、毛の洗浄及び体表の健全化を主たる目的としたものである。図３はブラシの断面図、図４はブラシの突起の先端の一例の状態を示す拡大断面図、図５はブラシの突起の先端の他の例の状態を示す拡大断面図、図６は本実施例のペット用清掃具の使用状態図である。なお、第一実施例と同一部分については同一符号を用い詳細な説明を省略する。【００２０】  図３、図４に示されるように、１はブラシ本体で中空構造をなしており、ブラシ面２にはパイプ状の複数の突起３が設けられ、このパイプ状の突起３は中空構造の空洞と連通している。この突起３の先端１０にはマイクロポーラスを有するセラミック１１が篏入されている。また、ブラシ本体１の把持部４には圧力調整弁１２が配置された接続部５が設けられており、可撓性のホース６が接続できるようになっている。このブラシ本体１に接続されるホース６の他端はポンプ１３の吐出側に接続されるとともに、ポンプ１３の吸込み側は機能水Ｗが貯えられる水槽１４に接続されている。この水槽１４には電解水あるいは水槽１４に併設されるマイクロバブル発生装置１５から生成されるマイクロバブルを多量に含む機能水Ｗが貯えられている。また、図５に示すように、突起３の先端１０を閉塞し、そこに微細孔１６を複数設けるようにしても同様の作用効果を得ることができる。【００２１】  次にその使用方法について説明する。ブラシ本体１とポンプ１３を可撓性のホース６で接続するとともにポンプ１３と水槽１４をホース６で接続する。ついで、機能水Ｗとして電解水を使用する場合は電解水を水槽１４に貯える。また、機能水Ｗとしてマイクロバブル含有水を使用する場合は、水槽１４に水を貯め、水槽１４に併設されるマイクロバブル発生装置１５の器具を水中に投入してマイクロバブル発生装置１５を運転すると、発生したマイクロバブルにより水槽１４の水が白濁し機能水Ｗとなる。このような状態でポンプ１３を運転するとマイクロバブルを多量に含んだ水はポンプ１３を経由してブラシ本体１に送られる。このとき、ブラシ面２に複数立設される突起３の先端１０にはマイクロポーラスを有するセラミック１１が篏入されているため、機能水Ｗは加圧されセラミック１１のマイクロポーラスを通過し突起３より霧状に噴霧されるように圧力調整弁１２を調整する。このような状態でペットＰの毛をブラッシングする。【００２２】  このようにすることで、ブラシ面２に複数立設された突起３から機能水Ｗが毛に邪魔されること無くペットＰの体表と毛の生え際に霧状に噴霧されるので、体表や毛根部から排出される老廃物をマイクロバブルが負に荷電しているので体表や毛と反発させて浮き上がらせ取り除くことができる。洗剤を使用せずに機能水Ｗを使用することにより体表や毛に洗剤が残留することが無いため、皮膚障害などの虞は無く、ブラッシングによるマッサージ効果により体表や毛を健全化することができる。【００２３】  第二実施例では、第一実施例の微細霧と比較して使用する機能水Ｗの量が多い（毎分数リットル程度）ため、ペットＰより水滴が落ちる虞があるのでビニールシートを敷いた上で作業をする必要がある。ただ、機能水Ｗの使用量はシャワーで水をかけた場合と比較して格段に少ないので、ペットＰも知らない間に体が濡れているようなものであるため暴れることも無い。【００２４】  次に第一実施例の乾燥方法やドライヤー等の乾燥手段でペットＰを乾燥する。【００２５】  以上のように、本発明のペット用清掃具を用いるとペットは大量の水をかけられるという不安も無いので暴れることも無く、微細霧あるいは機能水をブラシの突起からペットの体表や毛の生え際に適用することができるので、体表あるいは毛根部から排出される老廃物を浮き上がらせ取り除き、あるいは��元することができるので洗浄・殺菌・脱臭することができる。また、大好きな飼い主にブラッシングしてもらうという安心した状態であるのため落ち着いており、女性や高齢者でも安心してペットを洗浄・殺菌・脱臭することができる。【００２６】  また、本発明は様々な応用が可能である。例えば、送風機にヒーターを併設し運転することで温風を送風し乾燥時間の短縮をすることも可能である。また、超音波加湿器に使用する水にオゾンを添加したり、薬石を入れたり、温泉水を使用したり、薬草や様々なエキスを添加することで、体表に直接適用することが可能となるので殺菌や薬効などを期待することができる。
【図面の簡単な説明】
【００２７】
【図１】本発明の第一実施例のブラシ本体の断面図である。
【図２】本発明の第一実施例を示す使用状態図である。
【図３】本発明の第二実施例のブラシ本体の断面図である。
【図４】本発明の第二実施例のブラシの突起の先端の一例を示す拡大断面図である。
【図５】本発明の第二実施例のブラシの突起の先端の他の例を示す拡大断面図である。
【図６】本発明の第二実施例を示す使用状態図である。
【符号の説明】
１    ブラシ本体
２    ブラシ面
３    突起
４    把持部
５    接続部
６    ホース
７    送風機
８    負圧吸引器
９    超音波加湿器
１０  先端
１１  セラミック
１２  圧力調整弁
１３  ポンプ
１４  水槽
１５  マイクロバブル発生装置
１６  微細孔
Ｐ    ペット
Ｗ    機能水
【図１】
2008005817.tif 000003
【図２】
2008005817.tif 000004
【図３】
2008005817.tif 000005
【図４】
2008005817.tif 000006
【図５】
2008005817.tif 000007
【図６】
2008005817.tif 000008
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
ブラシ本体が中空構造からなり、ブラシ面に前記ブラシ本体の中空構造と連通するパイプ状の突起が複数立設され、ブラシ本体把持部にホースを接続する接続部を有するブラシと、一端が前記接続部に接続され他端に送風機が接続される可撓性ホースと、超音波加湿器と、この超音波加湿器から発生する微細霧を前記送風機の風圧により吸引する負圧吸引器を前記ホースに設けた構成からなることを特徴とするペット用清掃具。
【請求項２】
ブラシ本体が中空構造からなり、ブラシ面に前記ブラシ本体の中空構造と連通し先端に微細孔が設けられたパイプ状の突起が複数立設され、ブラシ本体把持部にホースを接続し圧力調整弁が設けられた接続部を有するブラシと、一端が前記接続部に接続され他端にポンプが接続される可撓性ホースと、機能水が貯水されポンプが接続される水槽とからなることを特徴とするペット用清掃具。